(57)【要約】【課題】デジタルコンテンツ化された歴史情報は、その利用場所が博物館や研究室等に制限され、一般のユーザが現場で気軽に歴史に親しむために利用できるものとはいえず、その価値を十分に生かすことができないという課題があった。【解決手段】携帯端末２００の検索位置情報取得部２０１が、携帯端末２００の位置に関する情報である検索位置情報を取得し、この取得した検索位置情報に対応する歴史映像情報を、サーバ装置１００の歴史映像情報取得部１０３が、位置歴史情報格納部１０１から取得して携帯端末２００に送信する。携帯端末２００は受信した歴史映像情報を、携帯端末２００の出力部２０４から出力するようにした。【選択図】図２
2006201944.tif 000002
【特許請求の範囲】
【請求項１】
サーバ装置と携帯端末を具備する情報処理システムであって、
前記サーバ装置は、
位置に関する情報である位置情報と当該位置情報で特定される位置の歴史的な映像である歴史映像情報を有する位置歴史情報を１以上格納している位置歴史情報格納部と、
前記携帯端末から、前記携帯端末の位置に関する情報である検索位置情報を受信する検索位置情報受信部と、
前記検索位置情報に基づいて歴史映像情報を取得する歴史映像情報取得部と、
前記歴史映像情報取得部が取得した歴史映像情報を前記携帯端末に送信する歴史映像情報送信部を具備し、
前記携帯端末は、
前記検索位置情報を取得する検索位置情報取得部と、
前記検索位置情報を前記サーバ装置に送信する検索情報送信部と、
前記歴史映像情報を前記サーバ装置から受信する歴史映像情報受信部と、
前記歴史映像情報受信部が受信した歴史映像情報を出力する出力部を具備する情報処理システム。
【請求項２】
前記位置歴史情報は、
携帯端末の向きに関する情報である方向情報と、位置情報と、歴史映像情報を有し、
前記携帯端末は、
当該携帯端末の向きに関する情報である検索方向情報取得部をさらに具備し、
前記検索情報送信部は、
前記検索位置情報および前記検索方向情報を前記サーバ装置に送信し、
前記歴史映像情報取得部は、
前記検索位置情報と前記検索方向情報に基づいて歴史映像情報を取得する請求項１記載の情報処理システム。
【請求項３】
前記位置歴史情報は、
時代を示す情報である時代情報をさらに有し、
前記携帯端末は、
時代に関する情報である検索時代情報を受け付ける検索時代情報受付部をさらに具備し、
前記検索情報送信部は、
前記検索時代情報をもさらに送信し、
前記歴史映像情報取得部は、
前記検索時代情報および前記検索位置情報、または前記検索時代情報および前記検索位置情報および前記検索方向情報に基づいて歴史映像情報を取得する請求項１または請求項２いずれか記載の情報処理システム。
【請求項４】
請求項１から請求項３いずれか記載の情報処理システムを構成するサーバ装置。
【請求項５】
請求項１から請求項３いずれか記載の情報処理システムを構成する携帯端末。
【請求項６】
コンピュータに、
位置に関する情報である検索位置情報を取得する検索位置情報取得ステップと、
前記検索位置情報を送信する検索情報送信ステップと、
前記検索位置情報に対応する前記歴史映像情報を受信する歴史映像情報受信ステップと、
前記受信した歴史映像情報を出力する出力ステップを実行させるためのプログラム。
【発明の詳細な説明】
【技術分野】
【０００１】
本発明は、歴史に関連する情報を提供する情報処理システム等に関する。
【背景技術】
【０００２】
近年、歴史に関連する情報のデジタルコンテンツ化が進められている。歴史に関連する情報をデジタルコンテンツ化し、データベースに蓄積することにより、インターネットなどの通信技術を利用して、必要に応じて遠隔地から取り出すことができるようになるなど、情報が活用しやすくなり、学術的な利用のみならず、一般ユーザにとっても非常に利用しやすく、役立つものになると期待される（例えば、非特許文献１参照）。
【非特許文献１】"館蔵画像データベース"、[online]、[平成16年12月14日検索]、国立歴史民族博物館、インターネット〈http://www.rekihaku.ac.jp/database/gazo/index.html〉
【発明の開示】
【発明が解決しようとする課題】
【０００３】
しかしながら、実際には、このようなデジタルコンテンツ化された歴史に関連する情報は、研究者や、歴史に興味の深いユーザにしか利用されておらず、また、その利用場所も、博物館や、研究室等の場所に限られている。したがって、一般のユーザが、気軽に歴史に親しむために利用できるものとはいえず、デジタルコンテンツ化された歴史に関連する情報の価値を十分に生かすことができないという課題があった。
【課題を解決するための手段】
【０００４】
本発明にかかる情報処理システムは、サーバ装置と携帯端末を具備する情報処理システムであって、前記サーバ装置は、位置に関する情報である位置情報と当該位置情報で特定される位置の歴史的な映像である歴史映像情報を有する位置歴史情報を１以上格納している位置歴史情報格納部と、前記携帯端末から、前記携帯端末の位置に関する情報である検索位置情報を受信する検索位置情報受信部と、前記検索位置情報に基づいて歴史映像情報を取得する歴史映像情報取得部と、前記歴史映像情報取得部が取得した歴史映像情報を前記携帯端末に送信する歴史映像情報送信部を具備し、前記携帯端末は、前記検索位置情報を取得する検索位置情報取得部と、前記検索位置情報を前記サーバ装置に送信する検索情報送信部と、前記歴史映像情報を前記サーバ装置から受信する歴史映像情報受信部と、前記歴史映像情報受信部が受信した歴史映像情報を出力する出力部を具備する。
【０００５】
かかる構成により、ユーザは、現在位置についての歴史映像情報を得ることができ、歴史に関連する情報を、臨場的な体験として受け入れることが可能となる。これにより、歴史に関連する情報をより有効に利用することが可能となる。
【０００６】
また、前記情報処理システムにおいて、前記位置歴史情報は、携帯端末の向きに関する情報である方向情報と、位置情報と、歴史映像情報を有し、前記携帯端末は、当該携帯端末の向きに関する情報である検索方向情報を取得する検索方向情報取得部をさらに具備し、前記検索情報送信部は、前記検索位置情報および前記検索方向情報を前記サーバ装置に送信し、前記歴史映像情報取得部は、前記検索位置情報と前記検索方向情報に基づいて歴史映像情報を取得する。
【０００７】
かかる構成により、ユーザは、携帯端末の方向に対応した歴史映像情報を表示することができ、現在の風景とディスプレイに表示される歴史映像情報との位置関係が把握しやすくなり、両者を比較して見ることができる。これにより、歴史に関連する情報をより理解しやすくなる。
【０００８】
また、前記情報処理システムにおいて、前記位置歴史情報は、時代を示す情報である時代情報をさらに有し、前記携帯端末は、時代に関する情報である検索時代情報を受け付ける検索時代情報受付部をさらに具備し、前記検索情報送信部は、前記検索時代情報をもさらに送信し、前記歴史映像情報取得部は、前記検索時代情報および前記検索位置情報、または前記検索時代情報および前記検索位置情報および前記検索方向情報に基づいて歴史映像情報を取得する。
【０００９】
かかる構成により、ユーザは、検索時代情報を用いることにより、同じ位置における時代による風景の変化を表示することができる。これにより、ユーザが、歴史の変化を、より深く学ぶことができる。
【発明の効果】
【００１０】
本発明による情報処理システムによれば、歴史に関連する情報を有効に利用することができる。
【発明を実施するための最良の形態】
【００１１】
以下、情報処理システム等の実施形態について図面を参照して説明する。なお、実施の形態において同じ符号を付した構成要素は同様の動作を行うので、再度の説明を省略する場合がある。
【００１２】
（実施の形態１）
図１は本実施の形態１に係る情報処理システムの概略を示す模式図である。本実施の形態１に係る情報処理システムは、ネットワーク３００を介して接続されたサーバ装置１００と、携帯端末２００とを備えている。
【００１３】
携帯端末２００は、ネットワークに接続可能であるとともに、携帯可能な情報処理端末である。携帯端末２００は、例えば、携帯電話や、ネットワーク接続可能なＰＤＡ、ポータブルコンピュータ等で実現され得る。
【００１４】
ネットワーク３００は、サーバ装置１００と携帯端末２００との間での、データの送受信を可能とするものであれば、どのようなネットワークであっても良い。ネットワーク３００は、例えば、ＩＰプロトコル等を用いた無線または有線のネットワークであってもよい。また、このネットワークにおける通信を、地上波放送、ケーブルテレビ放送、衛星放送等により実現しても良い。
図２は本実施の形態１に係る情報処理システムの構成を示すブロック図である。
本実施の形態１に係る情報処理システムは、ネットワーク３００を介して接続されたサーバ装置１００と、携帯端末２００とを備えている。
サーバ装置１００は、位置歴史情報格納部１０１と、検索位置情報受信部１０２と、歴史映像情報取得部１０３と、歴史映像情報送信部１０４とを備えている。
携帯端末２００は、検索位置情報取得部２０１と、検索情報送信部２０２と、歴史映像情報受信部２０３と、出力部２０４とを備えている。
【００１５】
位置歴史情報格納部１０１は、位置に関する情報である位置情報と当該位置情報で特定される位置の歴史的な映像である歴史映像情報とを有する位置歴史情報を１以上格納している。位置情報とは、具体的には、位置を特定するための情報であり、例えば、北緯３７度３１分０３秒、東経１３７度４２分３３秒、といったような経度と緯度とを組み合わせた情報や、山手町１丁目ｘ番地ｙ号といったような住所等、どのような情報であっても良い。ある特定の地点から、北に１００ｍ、東に３０ｍといったような、ある地点との相対的な位置を示す情報であっても良い。また、あらかじめ地域を所定の大きさの矩形の領域で分割しておき、その分割した領域単位で、位置を特定するようにしても良い。位置情報のデータ構造は問わない。歴史的な映像とは、位置情報により特定される位置、あるいはその周辺において、過去に起こったことを表現するための映像であり、記録映画等の実際に過去において撮影した映像であっても良いし、文献等に残されている図等であってもよいし、文献やその位置において発掘された遺跡等の歴史的な資料に基づいて推測し、コンピュータグラフィックス等で再現した映像等であってもよい。この映像は動画であっても静止画であってもよい。また、ユーザの指示に応じてインタラクティブに反応する映像であってもよい。また、映像情報とともに、その映像の説明や補足や、効果音等を提供するための音声情報を含んでいてもよい。歴史映像情報は、携帯端末２００において、映像が出力可能な情報であれば、どのような情報であっても良い。例えば、ＭＰＥＧ−４等のストリーミング配信可能な動画像情報でも良いし、ストリーミング配信できない動画像情報でも良い。また、ＪＰＥＧやＰＮＧ等の静止画情報でもよい。また、サーバ装置１００や、携帯端末２００がレンダリングする機能を備えている場合であれば、３次元の立体情報や２次元のベクトル情報などであっても良い。位置歴史情報格納部１０１は、位置歴史情報における、位置情報と、歴史映像情報その対応関係を、例えば、テーブル等に記録して管理している。位置歴史情報のデータ構造は問わない。位置歴史情報格納部１０１は、ハードディスクや、光ディスク等の不揮発性の記憶媒体等により実現され得る。
【００１６】
検索位置情報受信部１０２は、携帯端末２００からの検索位置情報をネットワーク３００を介して受信する。検索位置情報については後述する。検索位置情報受信部１０２は、無線や有線の通信手段、または放送受信手段等により実現され得る。
【００１７】
歴史映像情報取得部１０３は、検索位置情報に基づいて歴史映像情報を取得する。具体的には、検索位置情報受信部１０２の受信した検索位置情報に対応すると判断される位置情報を含む位置歴史情報を、位置歴史情報格納部１０１内で検索し、検索の結果得られた位置歴史情報に含まれる歴史映像情報を、位置歴史情報格納部１０１から取得する。検索の処理はどのように行っても良い。また、検索において判断される検索位置情報と位置情報との対応関係は、どのような対応関係であっても良い。例えば、検索位置情報に完全に一致する位置情報であってもよいし、検索位置情報の示す位置にもっとも近い位置を示す位置情報であってもよい。また、検索位置情報を元に設定される所定のエリア内に含まれる位置情報であっても良い。歴史映像情報取得部１０３は、ＭＰＵやメモリ等により実現され得る。
【００１８】
歴史映像情報送信部１０４は、歴史映像情報取得部１０３が取得した歴史映像情報を、ネットワーク３００を介して、携帯端末２００に対して出力する。歴史映像情報送信部１０４は、有線または無線の通信手段、または放送手段等により実現され得る。
【００１９】
検索位置情報取得部２０１は、携帯端末２００の位置に関する情報である検索位置情報を取得する。検索位置情報は、具体的には、上述した位置歴史情報格納部１０１が格納している位置歴史情報に含まれる位置情報と同様の情報である。検索位置情報のデータ構造は問わない。検索位置情報取得部２０１が、どのように、検索位置情報を取得するかは問わない。検索位置情報取得部２０１は、例えば、ＧＰＳ（ｇｒｏｂａｌ  ｐｏｓｉｔｉｏｎｉｎｇ  ｓｙｓｔｅｍ）の仕組みを利用して検索位置情報を取得するようにしてもよい。ＧＰＳとは、複数のＧＰＳ用の衛星の出力する電波の、レシーバーに届くまでに要した時間からレシーバーの位置を求めるシステムである。なお、ＧＰＳの詳細な構成については公知であるのでここでの説明は省略する。また、例えば、Ｐｅｒｓｏｎａｌ  ｈａｎｄｙｐｈｏｎｅ  ｓｙｓｔｅｍの位置情報測位の仕組みを利用して、あらかじめ設置されている電波を出力する複数の基地局の位置に関する情報と、携帯端末２００がこれらの基地局から受信する電波の強さとから、携帯端末２００の位置を測位するようにしてもよい。なお、検索位置情報取得部２０１は、検索位置情報取得部２０１自身が、例えば携帯端末２００が外部から取得した情報等に基づいて、検索位置情報を算出することにより、検索位置情報を取得しても良いし、携帯端末２００が外部から取得した情報等を、一旦、図示しない外部のサーバ装置等に送信し、この外部のサーバ装置等において算出された検索位置情報を取得するようにしてもよい。検索位置情報取得部２０１が、どのようなタイミングで検索位置情報を取得するかは問わない。例えば、ユーザからの指示により検索位置情報を取得しても良いし、定期的、あるいは不定期に検索位置情報を取得するようにしてもよい。検索位置情報取得部２０１は、ＧＰＳのレシーバーや、ＭＰＵおよびメモリ等により実現され得る。なお、検索位置情報取得部２０１が、例えば、ユーザからの指示により検索位置情報を取得するようにする場合には、ユーザからの指示を受け付けるための指示受付部を設けるようにしてもよい。
【００２０】
検索情報送信部２０２は、検索位置情報取得部２０１の取得した検索位置情報をネットワーク３００を介してサーバ装置１００に出力する。検索情報送信部２０２は、有線または無線の通信手段、または放送手段等により実現され得る。
【００２１】
歴史映像情報受信部２０３は、サーバ装置１００の出力する歴史映像情報を、ネットワーク３００を介して受信する。歴史映像情報受信部２０３は、有線または無線の通信手段、または放送手段等により実現され得る。
【００２２】
出力部２０４は、歴史映像情報受信部２０３の受信した歴史映像情報を出力する。また、出力部２０４は、歴史映像情報が、ＭＰＥＧ−４等によりエンコードされたものである場合、歴史映像情報をデコードして出力してもよい。出力部２０４は、表示デバイスを含むと考えても含まないと考えてもよい。例えば、出力部２０４が表示デバイスを備えている場合、受信した歴史映像情報を、この表示デバイスで表示しても良い。また、例えば、出力部２０４が表示デバイスを備えていない場合、映像を表示するために必要な情報を、他の映像を表示する装置に送信してもよい。出力部２０４は、表示デバイスのドライバソフト、または、表示デバイスのドライバソフトと表示デバイス等で構成される。表示デバイスは、例えば、液晶や、ＣＲＴ等のディスプレイで実現され得る。また、デコード処理が必要な場合には、ＭＰＵやメモリ等を含んでいてもよい。
【００２３】
次に、サーバ装置１００の動作について、図３のフローチャートを用いて説明する。
（ステップＳ３０１）検索位置情報受信部１０２は、検索位置情報を受信したか否かを判定する。受信した場合、ステップＳ３０２に進み、受信していない場合、ステップＳ３０１に戻る。
（ステップＳ３０２）歴史映像情報取得部１０３は、ステップＳ３０１で受信した検索位置情報に対応する位置情報を位置歴史情報格納部１０１内で検索する。
【００２４】
（ステップＳ３０３）歴史映像情報取得部１０３は、検索位置情報に対応する位置情報があるか否かを判定する。対応する位置情報がある場合、ステップＳ３０４へ進み、対応する位置情報がない場合、処理を終了する。
（ステップＳ３０４）歴史映像情報取得部１０３は、対応する位置情報が含まれる位置歴史情報内の歴史映像情報を、位置歴史情報格納部１０１から取得する。
【００２５】
（ステップＳ３０５）歴史映像情報送信部１０４は、ステップＳ３０４で取得した歴史映像情報を、ネットワーク３００を介して、携帯端末２００に送信する。そして、ステップＳ３０１に戻る。なお、図３のフローチャートにおいて、電源オフや処理終了の割り込みにより、処理は終了する。
【００２６】
次に、携帯端末２００の動作について、図４のフローチャートを用いて説明する。
（ステップＳ４０１）検索位置情報取得部２０１は、検索位置情報を取得したか否かを判定する。取得した場合、ステップＳ４０２に進み、取得していない場合、ステップＳ４０１に戻る。
（ステップＳ４０２）検索情報送信部２０２は、ステップＳ４０１で取得した検索位置情報を、ネットワーク３００を介して、サーバ装置１００に送信する。
【００２７】
（ステップＳ４０３）歴史映像情報受信部２０３は、歴史映像情報を受信したか否かを判定する。受信した場合、ステップＳ４０４へ進み、受信していない場合、ステップＳ４０５へ進む。
【００２８】
（ステップＳ４０４）出力部２０４は、ステップＳ４０３で受信した歴史映像情報を出力する。なお、歴史映像情報がエンコードされたものである場合等には、適宜、デコード等を行ったうえで、歴史映像情報を出力する。そして処理を終了する。
【００２９】
（ステップＳ４０５）歴史映像情報受信部２０３は、タイムアウトか否か判断する。タイムアウトとは、例えば検索情報送信部２０２が検索位置情報を送信してから所定時間が経過したか判断することである。タイムアウトであれば、ステップＳ４０６へ進み、タイムアウトでなければステップＳ４０３へ戻る。
【００３０】
（ステップＳ４０６）出力部２０４は、エラーであること、もしくは現在の位置に対応する歴史映像情報がないことを表示ための情報を出力する。これらの表示を行うための情報は予めメモリ等に格納しておく。そして処理が終了する。
【００３１】
次に本実施の形態の情報処理システムの具体例について説明する。ここでは、携帯端末２００は、携帯電話であり、携帯端末２００の検索位置情報取得部２０１はＧＰＳレシーバーであるとする。また、出力部２０４は、表示デバイスとしてディスプレイを備えているものとする。また、ネットワーク３００はインターネットであるとする。
【００３２】
まず、携帯端末２００を所持したユーザが、日本のある観光地に旅行に来ているものとする。そして、ある地点において、携帯端末２００のテンキーやメニュー画面等から、歴史映像情報の取得を指示すると、ＧＰＳレシーバーである検索位置情報取得部２０１が検索位置情報として、現在の携帯端末の位置を、緯度および経度の情報として取得する。この取得した検索位置情報は、例えば、（北緯Ｘ度Ａ分１０秒，東経Ｙ度Ｃ分２３秒）で表される情報であるとする。検索情報送信部２０２は、この検索位置情報取得部２０１が取得した検索位置情報を、インターネット経由で、サーバ装置１００に送信する。
【００３３】
サーバ装置１００の検索位置情報受信部１０２が、携帯端末２００からの検索位置情報を受信する。そして、歴史映像情報取得部１０３が、位置歴史情報格納部１０１の格納している位置歴史情報から、検索位置情報受信部１０２が受信した検索位置情報と対応する位置情報を有する位置歴史情報を検索する。なお、ここでは、携帯端末２００から取得した検索位置情報（北緯Ｘ度Ａ分１０秒，東経Ｙ度Ｃ分２３秒）の示す位置に最も近い位置を示す位置情報を、位置歴史情報格納部１０１内の位置歴史情報の中から検索する。
【００３４】
図５は、位置歴史情報格納部１０１が格納している位置歴史情報内の、位置情報と歴史映像情報との関係を示すテーブルの一例である。このテーブルは、「位置歴史情報ＩＤ」、「位置情報」、「歴史映像情報名」という属性を有しており、「位置情報」はさらに「緯度」、および「経度」という属性に分かれている。「位置歴史情報ＩＤ」は位置歴史情報を管理するための情報である。「緯度」は、位置を、緯度を用いて表わした値である。「経度」は、位置を、経度を用いて表した値である。「歴史映像情報名」は、ここでは歴史映像情報を識別するための名前であり、ここではファイル名を用いている。「位置歴史情報ＩＤ」、「経度」、「緯度」、「歴史映像情報名」のデータ構造は問わない。
【００３５】
歴史映像情報取得部１０３は、位置歴史情報格納部１０１内に格納されている図５に示すようなテーブルから、携帯端末２００から取得した検索位置情報に対応する位置情報を検索する。
【００３６】
ここでは、緯度が北緯Ｘ度Ａ分１１秒で、経度が東経Ｙ度Ｃ分２１秒である、位置歴史情報ＮＥ０１１４の位置情報が、検索位置情報と対応する位置情報として検出される。歴史映像情報取得部１０３は、この位置情報を有する位置歴史情報ＮＥ０１１４が有しているＥＤＯ０９８４７という歴史映像情報を取得する。そして、歴史映像情報送信部１０４が、このＥＤＯ０９８４７という歴史映像情報を送信する。なお、この歴史映像情報ＥＤＯ０９８４７は、例えば、位置歴史情報ＮＥ０１１４の有する位置情報が示す位置における、江戸時代の風景をアニメーションにより再現した動画像データであり、ＭＰＥＧ−４によりエンコードされているものとする。
【００３７】
携帯端末２００の歴史映像情報受信部２０３が、この歴史映像情報ＥＤＯ０９８４７を受信すると、出力部２０４は、歴史映像情報ＥＤＯ０９８４７に対してＭＰＥＧ−４に対応したデコードを行い、デコードした歴史映像情報ＥＤＯ０９８４７を、携帯端末２００のディスプレイに表示する。
【００３８】
図６は、歴史映像情報ＥＤＯ０９８４７を携帯端末２００のディスプレイに表示した状態を示した場合の模式図である。図６に示すように、携帯端末２００のディスプレイには、携帯端末２００の現在位置に対応した歴史映像情報、ここでは江戸時代の風景を再現した映像が表示される。これにより、ユーザは、自分の今いる場所が、江戸時代には、どのような風景であったかを知ることができる。このため、ユーザは、例えば、現在の風景と、歴史的な風景とを比較することなどにより、歴史映像情報を、単なる知識としてではなく、臨場的な体験の一部として受け入れることができる。この結果、歴史映像情報を、より印象的にユーザに提供することができるとともに、歴史についての興味をユーザに喚起させることができる。また、その旅行先についての詳細な知識が無くてもユーザの現在地点についての歴史映像情報を、容易に得ることができるため、歴史についての知識が豊富ではないユーザも、気軽に歴史に関連する情報に触れ合うことができ、歴史に関連する情報を利用するユーザを増やすことができる。
【００３９】
以上、本実施の形態によれば、携帯端末２００の検索位置情報取得部２０１が、検索位置情報を取得し、この取得した検索位置情報に対応する歴史映像情報を、サーバ装置１００の歴史映像情報取得部１０３が、位置歴史情報格納部１０１から取得し、この取得した歴史映像情報を携帯端末２００の出力部２０４で出力するようにした。これにより、ユーザは、現在位置についての歴史映像情報を得ることができ、歴史に関連する情報を、臨場的な体験として受け入れることが可能となる。また、歴史についての専門的な知識や、情報を検索する技術がなくても、ユーザが、容易に歴史映像情報を得ることができ、歴史に関連する情報に気軽に接することが可能となる。この結果、歴史に関連する情報を有効に利用することが可能となる。
【００４０】
なお、上記実施の形態において、３次元の立体データをレンダリングして得られる歴史映像情報を、携帯端末２００の出力部２０４で表示するようにしてもよい。具体的には、位置歴史情報格納部１０１に、歴史映像情報として、さまざまな地域の歴史的な風景を再現した３次元の立体データを格納しておく。サーバ装置１００が、携帯端末２００から検索位置情報を受信した場合、歴史映像情報取得部１０３が位置歴史情報格納部１０１が格納している３次元の立体データを取得する。そして、この携帯端末２００から受信した検索位置情報に相当する位置を視点に設定して３次元の立体データをレンダリングする。これにより得られたレンダリング後の歴史映像情報を、携帯端末２００に送信するようにする。このような場合においても、上記実施の形態と同様の効果を奏する。さらに、携帯端末２００の位置が変化し、検索位置情報の位置が変化した場合には、３次元の立体データに設定する視点の位置を変化させて、３次元の立体データをレンダリングすることで、新たな携帯端末２００の位置に対応した歴史映像情報を得ることができる。この結果、携帯端末２００の動き、すなわちユーザの動きにあわせた歴史映像情報を表示させることが可能となる。例えば、歴史映像情報が、昔の建造物を表示するものである場合、ユーザの動きに合わせて、この昔の建造物の周りを廻っているように歴史映像情報を順次表示させることも可能となる。また、あらかじめ、複数の位置についての歴史映像情報を用意しておく必要が無く、位置歴史情報格納部１０１の格納スペースを削減することが可能となる。かかることは他の実施の形態においても同様である。
【００４１】
また、上記実施の形態において、各構成要素は専用のハードウェアにより構成されてもよく、あるいは、ソフトウェアにより実現可能な構成要素については、プログラムを実行することによって実現されてもよい。例えば、ハードディスクや半導体メモリ等の記録媒体に記録されたソフトウェア・プログラムをＣＰＵ等のプログラム実行部が読み出して実行することによって、各構成要素が実現され得る。なお、上記各実施の形態における情報処理装置を実現するソフトウェアは、以下のようなプログラムである。つまり、このプログラムは、コンピュータに、位置に関する情報である検索位置情報を取得する検索位置情報取得ステップと、前記検索位置情報を送信する検索情報送信ステップと、前記検索位置情報に対応する前記歴史映像情報を受信する歴史映像情報受信ステップと、前記受信した歴史映像情報を出力する出力ステップを実行させるためのプログラムである。
【００４２】
なお、上記プログラムにおいて、情報を送信する送信ステップや、情報を受信する受信ステップなどでは、ハードウェアでしか行われない処理、例えば、送信ステップにおけるモデムやインターフェースカードなどで行われる処理は、少なくとも含まれない。
【００４３】
また、このプログラムは、サーバなどからダウンロードされることによって実行されてもよく、所定の記録媒体、例えば、ＣＤ−ＲＯＭなどの光ディスクや磁気ディスク、半導体メモリなど、に記録されたプログラムが読み出されることによって実行されてもよい。
【００４４】
また、このプログラムを実行するコンピュータは、単数であってもよく、複数であってもよい。すなわち、集中処理を行ってもよく、あるいは分散処理を行ってもよい。
【００４５】
（実施の形態２）
本実施の形態２にかかる情報処理システムは、上記実施の形態１にかかる情報処理システムにおいて、さらに、携帯端末の向きに応じた歴史映像情報を、携帯端末から出力するようにしたものである。
【００４６】
図７は、本発明の実施の形態２に係る情報処理システムの構成を示すブロック図である。本実施の形態２の情報処理システムは、ネットワーク３００を介して接続されたサーバ装置１２０と、携帯端末２２０とを備えている。
【００４７】
サーバ装置１２０は、位置歴史情報格納部１２１と、検索位置情報受信部１０２と、歴史映像情報取得部１２３と、歴史映像情報送信部１０４とを備えている。なお、歴史映像情報送信部１０４の構成については、上記実施の形態１と同様であるので説明は省略する。また、検索位置情報受信部１０２の構成については、検索位置情報に加えて検索方向情報を受信すること以外は、上記実施の形態１と同様であるので説明は省略する。検索方向情報については後述する。
【００４８】
携帯端末２２０は、検索位置情報取得部２０１と、検索情報送信部２０２と、歴史映像情報受信部２０３と、出力部２０４と、検索方向情報取得部２２５とを備えている。なお、検索位置情報取得部２０１、歴史映像情報受信部２０３および出力部２０４の構成については、上記実施の形態１と同様であるので説明は省略する。また、検索情報送信部２０２の構成については、検索位置情報に加えて検索方向情報を送信すること以外は、上記実施の形態１と同様であるので説明は省略する。
【００４９】
位置歴史情報格納部１２１は、上記実施の形態１において説明した位置歴史情報格納部１０１と同様に、位置情報と、歴史映像情報とを格納しているとともに、さらに、この位置情報により特定される位置における携帯端末２２０の向きに関する情報である方向情報を格納しているものである。方向情報は、携帯端末２２０の向きを特定するための情報であり、向きが特定できれば、どのような情報であってもよい。例えば、北、北東、東、といったような方位を示す情報であっても良いし、北を０度として角度で表した方位の情報であっても良い。また、所定の位置を始点としたベクトル情報であっても良いし、緯線や経線に対する角度を示す情報であってもよい。位置歴史情報格納部１２１は、位置歴史情報における方向情報、位置情報、歴史映像情報との対応関係を、例えば、テーブル等に記録して管理している。このように位置歴史情報内に、方向情報を有している点を除けば、上記実施の形態１の位置歴史情報格納部１０１と同様の構成を有しているため、詳細な説明については省略する。
【００５０】
歴史映像情報取得部１２３は、検索位置情報受信部１０２の受信した検索位置情報、および検索方向情報に基づいて歴史映像情報を取得する。検索方向情報については後述する。歴史映像情報取得部１２３は、具体的には、検索位置情報受信部１０２の受信した検索位置情報に対応すると判断される位置情報を有し、かつ検索位置情報受信部１０２の受信した検索方向情報に対応すると判断される方向情報を有する位置歴史情報を、位置歴史情報格納部１２１内で検索する。そして、検索の結果得られた位置歴史情報に含まれる歴史映像情報を、位置歴史情報格納部１２１から取得する。検索の処理はどのように行っても良い。例えば、まず、検索位置情報と対応する位置情報を有する位置歴史情報を検索し、その検索結果に対して、検索方向情報と対応する方向情報を有する位置歴史情報を検索するようにし、その検索の結果得られた位置歴史情報に含まれている歴史映像情報を取得するようにしてもよい。また、検索方向情報と対応する方向情報を有する位置歴史情報を検索し、その検索結果に対して、検索位置情報と対応する位置情報を有する位置歴史情報を検索するようにし、その検索の結果得られた位置歴史情報に含まれている歴史映像情報を取得するようにしてもよい。なお、検索において判断される検索位置情報と位置情報との対応関係は、どのような対応関係であっても良いことは、上記実施の形態１と同様である。また、検索において判断される検索方向情報と方向情報との対応関係は、どのような対応関係であっても良い。例えば、検索方向情報に完全に一致する方向情報であってもよいし、検索方向情報の示す方向にもっとも近い方向を示す方向情報であってもよい。また、検索方向情報を元に設定される所定の範囲の方向に含まれる方向情報であっても良い。歴史映像情報取得部１２３は、ＭＰＵやメモリ等により実現され得る。
【００５１】
検索方向情報取得部２２５は、携帯端末２２０の向きに関する情報である検索方向情報を取得する。検索方向情報は、具体的には、上述した位置歴史情報格納部１２１が格納している位置歴史情報に含まれる方向情報と同様の情報である。検索方向情報のデータ構造は問わない。また、検索方向情報取得部２２５が、どのように、検索方向情報を取得するかは問わない。検索方向情報取得部２２５は、例えば、ジャイロセンサを利用して検索方向情報を取得するようにしてもよい。ジャイロセンサとは、角速度を検出するセンサであり、その検出結果に基づき、方向を判定することが可能なものである。また、地磁気を検出するセンサを利用して検索方向情報を取得するようにしてもよい。ジャイロセンサや地磁気を検出するセンサ等を用いて方向を検出するための詳細な構成については公知であるのでここでの説明は省略する。なお、検索方向情報取得部２２５は、検索方向情報取得部２２５自身が検索方向情報を算出することにより、検索位置情報を取得しても良いし、携帯端末２２０が取得した情報等を、一旦、図示しない外部のサーバ装置等に送信し、この外部のサーバ装置等において算出された検索方向情報を取得するようにしてもよい。検索方向情報取得部２２５が、どのようなタイミングで検索方向情報を取得するかは問わない。例えば、ユーザからの指示により検索方向情報を取得しても良いし、定期的、あるいは不定期に検索方向情報を取得するようにしてもよい。検索方向情報取得部２２５は、ジャイロセンサや地磁気を検出するセンサ、ＭＰＵおよびメモリ等により実現され得る。なお、検索方向情報取得部２２５が、例えば、ユーザからの指示により検索方向情報を取得するようにする場合には、ユーザからの指示を受け付けるための指示受付部を設けるようにしてもよい。
【００５２】
次に、本実施の形態２の情報処理システムの動作について説明する。なお、サーバ装置１２０の動作については、検索位置情報受信部１０２が受信する情報が、検索位置情報および検索方向情報である点、歴史映像情報取得部１０３が歴史映像情報を取得するために行う検索が、検索位置情報および検索方向情報に基づくものである点が異なる点等を除けば、実施の形態１において図３のフローチャートを用いて説明したサーバ装置１００の動作と同様であるので説明は省略する。
【００５３】
携帯端末２２０の動作について、図８のフローチャートを用いて説明する。なお、ステップＳ８０１以外については、実施の形態１において図４のフローチャートを用いて説明した携帯端末２００の動作と同様であるので説明は省略する。
【００５４】
（ステップＳ８０１）ステップＳ４０１により、検索位置情報を取得した場合、検索方向情報取得部２２５が、検索方向情報を取得したか否か判定する。取得した場合、ステップＳ４０２へ進み、取得していない場合、ステップＳ８０１へ戻る。
【００５５】
なお、ここでは、ステップＳ８０１をステップＳ４０１の次のステップとしたが、本発明においては、ステップＳ８０１を、ステップＳ４０１の前のステップとしてもよい。
【００５６】
次に、具体例について説明する。なお、上記実施の形態１の具体例と同様の部分について説明は省略する。ここでは、検索方向情報取得部２２５がジャイロセンサであるとする。
【００５７】
まず、携帯端末２２０を所持したユーザが、日本のある観光地に旅行に来ているものとする。そして、ある地点において、携帯端末２００のテンキーやメニュー画面等から、歴史映像情報の取得を指示すると、ＧＰＳレシーバーである検索位置情報取得部２０１が、検索位置情報として、現在の携帯端末の位置を、緯度および経度の情報として取得する。また、ジャイロセンサである検索方向情報取得部２２５が、検索方向情報として、現在の携帯端末の向きを、北を０度として角度で表した方位の値として取得する。なお、ここでは、一例として、携帯電話のディスプレイの下から上に向かう方向を携帯端末２２０の向きとする。
【００５８】
この取得した検索位置情報は、例えば、（北緯Ｘ度Ａ分１０秒，東経Ｙ度Ｃ分２３秒）で表される情報であるとする。また、検索方向情報は、９０度であったとする。検索情報送信部２０２は、この検索位置情報取得部２０１が取得した検索位置情報および検索方向情報を、インターネット経由で、サーバ装置１２０に送信する。
【００５９】
サーバ装置１２０の検索位置情報受信部１０２が、携帯端末２２０からの検索位置情報および検索方向情報を受信する。そして、歴史映像情報取得部１２３が、位置歴史情報格納部１２１の格納している位置歴史情報から、検索位置情報受信部１０２が受信した検索位置情報および検索方向情報に対応するものを検索する。ここでは、検索位置情報受信部１０２の受信した検索位置情報の示す位置（北緯Ｘ度Ａ分１０秒，東経Ｙ度Ｃ分２３秒）に最も近い位置を示す位置情報を有し、かつ、検索位置情報受信部１０２の受信した検索方向情報が示す９０度という方位に最も近い方位を示す方向情報を有する位置歴史情報を、位置歴史情報格納部１２１内の位置歴史情報の中から検索する。
【００６０】
図９は、位置歴史情報格納部１２１が格納している位置歴史情報内の、位置情報と方向情報と歴史映像情報との関係を示すテーブルの一例である。このテーブルは、上記実施の形態１において図５を用いて説明したテーブルにおいて、「方向情報」という属性を追加したものである。「方向情報」は、方位を角度で表した値である。「方向情報」の属性のデータ構造は問わない。
【００６１】
歴史映像情報取得部１２３は、位置歴史情報格納部１２１内に格納されている図９に示すようなテーブルから、検索位置情報受信部１０２の受信した検索位置情報および検索方向情報に対応した位置歴史情報を検索する。
【００６２】
ここでは、歴史映像情報取得部１２３は、緯度が北緯Ｘ度Ａ分１１秒、経度が東経Ｙ度Ｃ分２１秒、方向情報が９０度である、位置歴史情報ＮＥ０１１４９を、検索位置情報および検索方向情報に対応する位置歴史情報として検出する。歴史映像情報取得部１２３は、この位置歴史情報ＮＥ０１１４９が有しているＥＤＯ０９８４７９という歴史映像情報を取得する。そして、歴史映像情報送信部１０４が、このＥＤＯ０９８４７９という歴史映像情報を送信する。なお、この歴史映像情報ＥＤＯ０９８４７９は、例えば、位置歴史情報ＮＥ０１１４９の有する位置情報が示す位置において、北に対して９０度の方向を向いた場合に表示される江戸時代の風景をアニメーションにより再現した動画像データであり、ＭＰＥＧ−４によりエンコードされているものとする。
【００６３】
携帯端末２２０の歴史映像情報受信部２０３が、この歴史映像情報ＥＤＯ０９８４７９を受信すると、出力部２０４は、歴史映像情報ＥＤＯ０９８４７９に対してＭＰＥＧ−４に対応したデコードを行い、デコードした歴史映像情報ＥＤＯ０９８４７９を、携帯端末２２０のディスプレイに表示する。
【００６４】
図１０は、携帯端末２２０の向きと、現在位置とを模式的に示す図である。また、図１１は、歴史映像情報ＥＤＯ０９８４７９を携帯端末２２０のディスプレイに表示した状態を示した場合の模式図である。図１０に示すように、携帯端末２２０の、現在位置における向きは、矢印で示すように、北に対して９０度の向き、すなわち東向きであり、この場合の携帯端末２２０のディスプレイには、図１１に示すように、北緯Ｘ度Ａ分１１秒、東経Ｙ度Ｃ分２１秒の地点において北に対して９０度の方向を向いた場合の江戸時代の風景が表示される。
【００６５】
ここで、ユーザが、同じ位置で、携帯端末２２０の向きを０度、すなわち北向きに変更したとする。
この場合、検索方向情報取得部２２５が、検索方向情報として、０度という値を取得する。また、検索位置情報取得部２０１は、直前の検索位置情報と同じ検索位置情報を取得する。そして、検索情報送信部２０２が、この検索方向情報と、検索位置情報とを、サーバ装置１２０に送信する。
【００６６】
サーバ装置１２０では、歴史映像情報取得部１２３が、図９に示したテーブルから、この検索位置情報および検索方向情報に対応した位置歴史情報として、緯度が北緯Ｘ度Ａ分１１秒、経度が東経Ｙ度Ｃ分２１秒、方向情報が０度である、位置歴史情報ＮＥ０１１４０を検出する。そして、歴史映像情報取得部１２３が、この位置歴史情報ＮＥ０１１４０に含まれる歴史映像情報ＥＤＯ０９８４７０を取得し、歴史映像情報送信部１０４が携帯端末２２０に送信する。
【００６７】
携帯端末２２０の歴史映像情報受信部２０３が、この歴史映像情報ＥＤＯ０９８４７０を受信すると、出力部２０４は、歴史映像情報ＥＤＯ０９８４７０に対してＭＰＥＧ−４に対応したデコードを行い、デコードした歴史映像情報ＥＤＯ０９８４７０を、携帯端末２２０のディスプレイに表示する。
【００６８】
図１２は、携帯端末２２０の向きを０度とした場合における、携帯端末２２０の向きと、現在位置とを模式的に示す図である。また、図１３は、携帯端末２２０の向きを０度とした場合における、歴史映像情報ＥＤＯ０９８４７９を携帯端末２２０のディスプレイに表示した状態を示した場合の模式図である。図１２に示すように、携帯端末２２０の、現在位置における向きは、矢印で示すように、北に対して０度の向き、すなわち北向きであり、この場合の携帯端末２２０のディスプレイには、図９において示した携帯端末２２０の位置と同じ位置において、北を向いた場合の江戸時代の風景が表示される。したがって、ある地点における携帯端末２２０の向きが、東向きであれば、その地点から東を向いた場合に見えたと考えられる江戸時代の風景が表示され、北向きであれば、その地点から北を向いた場合に見えたと考えられる江戸時代の風景が表示されることとなる。このように、携帯端末２２０のディスプレイには、携帯端末２２０の向きに応じた歴史映像情報が表示されため、ユーザは、現在の風景と、携帯端末２２０のディスプレイに表示される歴史映像情報との位置関係を把握しやすくなる。
【００６９】
なお、携帯端末２２０が、継続的に検索位置情報を取得して、取得した検索位置情報をサーバ装置１２０に送信することで、この検索位置情報に対応する歴史映像情報の取得を、サーバ装置に継続的に問い合わせるようにしてもよい。このようにすることにより、携帯端末２２０の向きを変えると、この向きの変化に対応して、携帯端末２２０に表示される歴史映像情報を自動的に切り替えることが可能となる。これにより、ユーザの動きにあわせた歴史映像情報を表示させることができ、ユーザに、その歴史映像情報が表示する時代の中にいるような印象を与えることが可能となる。
【００７０】
以上、本実施の形態によれば、携帯端末２２０の検索位置情報取得部２０１が検索位置情報を取得し、検索方向情報取得部２２５が検索方向情報を取得し、この取得した検索位置情報および検索方向情報に対応する歴史映像情報を、サーバ装置１２０の歴史映像情報取得部１２３が、位置歴史情報格納部１２１から取得し、この取得した歴史映像情報を携帯端末２２０の出力部２０４で出力するようにした。これにより、ユーザは、現在位置についての歴史映像情報を得ることができ、歴史に関連する情報を、臨場的な体験として受け入れることが可能となる。また、専門的な知識や技術がなくても、ユーザが、容易に歴史映像情報を得ることができ、歴史に関連する情報に気軽に接することが可能となる。さらに、検索方向情報を用いることにより、携帯端末２２０の方向に対応した歴史映像情報を表示することができ、現在の風景とディスプレイに表示される歴史映像情報との位置関係が把握しやすくなり、歴史映像情報の示す内容がより理解しやすくなる。この結果、歴史に関連する情報をより有効に利用することが可能となる。
【００７１】
なお、本実施の形態においても、３次元の立体データをレンダリングして得られる歴史映像情報を携帯端末２２０の出力部２０４で表示するようにしてもよい。このとき、検索方向情報が示す方向を視点に設定して３次元の立体データをレンダリングすることで、ユーザの動きに加えて、ユーザの視点の動きも考慮した歴史映像情報を携帯端末２２０のディスプレイに表示させることが可能となる。かかることは他の実施の形態においても同様である。
【００７２】
（実施の形態３）
本実施の形態３にかかる情報処理システムは、上記実施の形態１にかかる情報処理システムにおいて、さらに、時代情報に応じた歴史映像情報を、携帯端末から出力するようにしたものである。
【００７３】
図１４は、本発明の実施の形態３に係る情報処理システムの構成を示すブロック図である。本実施の形態３の情報処理システムは、ネットワーク３００を介して接続されたサーバ装置１３０と、携帯端末２３０とを備えている。
【００７４】
サーバ装置１３０は、位置歴史情報格納部１３１と、検索位置情報受信部１０２と、歴史映像情報取得部１３３と、歴史映像情報送信部１０４とを備えている。なお、歴史映像情報送信部１０４の構成については、上記実施の形態１と同様であるので説明は省略する。また、検索位置情報受信部１０２の構成については、検索位置情報に加えて、後述する検索時代情報を受信すること以外は、上記実施の形態１と同様であるので説明は省略する。
【００７５】
携帯端末２３０は、検索位置情報取得部２０１と、検索情報送信部２０２と、歴史映像情報受信部２０３と、出力部２０４と、検索時代情報受付部２３６とを備えている。なお、検索位置情報取得部２０１、歴史映像情報受信部２０３および出力部２０４の構成については、上記実施の形態１と同様であるので説明は省略する。また、検索情報送信部２０２の構成については、検索位置情報に加えて検索時代情報を送信すること以外は、上記実施の形態１と同様であるので説明は省略する。
【００７６】
位置歴史情報格納部１３１は、上記実施の形態１の位置歴史情報格納部１０１において、位置歴史情報として、さらに時代情報を格納するようにしたものである。時代情報は、歴史映像情報の表示する歴史に関連する映像がどの時代のものかを示すための情報であり、時代が特定できる情報であれば、どのような情報であっても良い。例えば、奈良時代、平安時代といった時代名や、西暦等で表される年号や、昭和初期といった年代等、どのような情報であってもよい。また、日付や時間等を有していても良い。また、現在から１００年前等のように、時代をある特定の時点からの期間で特定する情報であってもよい。時代情報のデータ構造は問わない。ここで述べる時代は、特定、または不特定の長さの期間であっても良いし、特定の日や時間などであっても良い。位置歴史情報格納部１３１は、位置歴史情報における時代情報、位置情報、歴史映像情報との対応関係を、例えば、テーブル等に記録して管理している。このように位置歴史情報内に、時代情報を有している点を除けば、上記実施の形態１の位置歴史情報格納部１０１と同様の構成を有しているため、詳細な説明については省略する。
【００７７】
歴史映像情報取得部１３３は、検索位置情報受信部１０２の受信した検索位置情報、および検索時代情報に基づいて歴史映像情報を取得する。具体的には、検索位置情報受信部１０２の受信した検索位置情報に対応すると判断される位置情報を有し、かつ検索位置情報受信部１０２の受信した検索時代情報に対応すると判断される時代情報を有する位置歴史情報を、位置歴史情報格納部１３１内で検索する。そして、検索の結果得られた位置歴史情報に含まれる歴史映像情報を、位置歴史情報格納部１３１から取得する。検索の処理はどのように行っても良い。なお、検索において判断される検索位置情報と位置情報との対応関係は、どのような対応関係であっても良いことは、上記実施の形態１と同様である。また、検索において判断される検索時代情報と時代情報との対応関係は、どのような対応関係であっても良い。例えば、検索時代情報に完全に一致する時代情報であってもよいし、検索時代情報の示す期間にもっとも近い時代情報であってもよい。また、検索時代情報を元に設定される所定の範囲の期間に含まれる時代情報であっても良い。歴史映像情報取得部１３３は、ＭＰＵやメモリ等により実現され得る。
【００７８】
検索時代情報受付部２３６は、時代に関する情報である検索時代情報を受け付ける。検索時代情報は、具体的には、上述した位置歴史情報格納部１３１が格納している位置歴史情報に含まれる時代情報と同様の情報である。検索時代情報のデータ構造は問わない。検索時代情報受付部２３６は、例えば、キーボードや、テンキー、マウス、タッチパネル等の入力デバイスから入力された情報を受け付けてもよく、有線もしくは無線の通信回線を介して送信された情報を受信してもよく、光ディスクや磁気ディスク、半導体メモリ等の所定の記録媒体から読み出された情報を受け付けてもよい。検索時代情報受付部２３６は、キーボードやテンキー等の入力デバイスのデバイスドライバや、入力デバイスのドライバソフトと入力デバイス、メニュー画面の制御ソフトウェア等で実現され得る。
【００７９】
次に、本実施の形態３の情報処理システムの動作について説明する。なお、サーバ装置１３０の動作については、検索位置情報受信部１０２が受信する情報が、検索位置情報および検索時代情報である点、歴史映像情報取得部１０３が歴史映像情報を取得するために行う検索が、検索位置情報および検索時代情報に基づくものである点が異なることを除けば、実施の形態１において図３のフローチャートを用いて説明したサーバ装置１００の動作と同様であるので説明は省略する。
【００８０】
携帯端末２３０の動作について、図１５のフローチャートを用いて説明する。なお、ステップＳ１５０１以外については、実施の形態１において図４のフローチャートを用いて説明した携帯端末２３０の動作と同様であるので説明は省略する。
【００８１】
（ステップＳ１５０１）検索時代情報受付部２３６が、検索時代情報を受け付けたか否か判定する。受け付けた場合、ステップＳ４０１へ進み、受け付けていない場合、ステップＳ１５０１へ戻る。
【００８２】
なお、ここでは、ステップＳ１５０１をステップＳ４０１の前のステップとしたが、本発明においては、ステップＳ１５０１を、ステップＳ４０１の後のステップとしてもよい。
【００８３】
次に、具体例について説明する。なお、上記実施の形態１の具体例と同様の部分について説明は省略する。
まず、携帯端末２３０を所持したユーザが、携帯端末２３０のテンキーやメニュー画面等から、歴史映像情報の取得を指示すると、携帯端末２３０のディスプレイに、検索時代情報を受け付けるための画面が表示される。
【００８４】
図１６は、検索時代情報を受け付ける画面の表示例を示す図である。図に示すように、この画面には、検索時代情報を入力するための、入力フィールドが用意されている。ユーザがテンキーを用いて、この入力フィールドに、例えば、「江戸」
と入力し、送信ボタンを押すと、この「江戸」という検索時代情報と、検索位置情報取得部２０１の取得した検索位置情報、例えば（北緯Ｘ度Ａ分１０秒，東経Ｙ度Ｃ分２３秒）、とが、サーバ装置１３０に送信される。なお、入力フィールドを用いる代わりに、例えば、複数の時代名から一つの時代名を選択させるための、いわゆるドロップダウンリスト等を用いるようにしてもよい。
【００８５】
サーバ装置１３０では、検索位置情報受信部１０２の受信した、検索位置情報と「江戸」という検索時代情報とに対応する位置歴史情報を、歴史映像情報取得部１３３が、位置歴史情報格納部１３１内で検索する。
【００８６】
図１７は、位置歴史情報格納部１３１が格納している位置歴史情報内の、位置情報と時代情報と歴史映像情報との関係を示すテーブルの一例である。このテーブルは、上記実施の形態１において図５を用いて説明したテーブルにおいて、「時代情報」という属性を追加したものである。「時代情報」は、時代名を示す情報である。「時代情報」の属性のデータ構造は問わない。
【００８７】
ここでは、検索位置情報受信部１０２の受信した検索位置情報の示す位置（北緯Ｘ度Ａ分１０秒，東経Ｙ度Ｃ分２３秒）に最も近い位置を示す位置情報を有し、かつ、検索位置情報受信部１０２の受信した検索時代情報である「江戸」と同じ時代情報を有する位置歴史情報を、位置歴史情報格納部１２１内の位置歴史情報の中から検索する。この検索結果として、歴史映像情報取得部１３３は、緯度が北緯Ｘ度Ａ分１１秒、経度が東経Ｙ度Ｃ分２１秒、時代情報が「江戸」である、位置歴史情報ＮＥ０１１４Ｅを、検索位置情報および検索時代情報に対応する位置歴史情報として検出する。そして、検出された位置歴史情報が有する歴史映像情報ＥＤＯ０９８４７を、歴史映像情報送信部１０４から、携帯端末２３０に送信する。なお、この歴史映像情報ＥＤＯ０９８４７は、実施の形態１において説明した歴史映像情報ＥＤＯ０９８４７と同様の情報であり、すなわち、位置歴史情報ＮＥ０１１４Ｅの有する位置情報が示す位置における江戸時代の風景をアニメーションにより再現した動画像データである。
【００８８】
携帯端末２３０の歴史映像情報受信部２０３が歴史映像情報ＥＤＯ０９８４７を受信し、これを出力部２０４が表示することで、実施の形態１において図６に示したように、携帯端末２３０のディスプレイには、携帯端末２３０の現在位置に対応した江戸時代の風景を、アニメーションで再現した映像が表示される。
【００８９】
ここで、ユーザが、同じ位置で、携帯端末２３０を操作して、図１８に示すように、再び、検索時代情報を受け付ける画面を表示させ、「縄文」と入力して、送信ボタンを押す。
【００９０】
これによって、歴史映像情報取得部１３３が、図１７に示すようなテーブルに基づいて、検索位置情報受信部１０２の受信した検索位置情報の示す位置（北緯Ｘ度Ａ分１０秒，東経Ｙ度Ｃ分２３秒）に最も近い位置を示す位置情報を有し、かつ、検索位置情報受信部１０２の受信した検索時代情報である「縄文」と同じ時代情報を有する位置歴史情報を、位置歴史情報格納部１２１内の位置歴史情報の中から検索する。この検索結果として、歴史映像情報取得部１３３は、緯度が北緯Ｘ度Ａ分１１秒、経度が東経Ｙ度Ｃ分２１秒、時代情報が「縄文」である、位置歴史情報ＮＥ０１１４Ｊを、検索位置情報および検索時代情報に対応する位置歴史情報として検出する。そして、検出された位置歴史情報が有する歴史映像情報ＪＹＯ０９８４７を、歴史映像情報送信部１０４から、携帯端末２３０に送信する。なお、この歴史映像情報ＪＹＯ０９８４７は、例えば、位置歴史情報ＮＥ０１１４Ｊの有する位置情報が示す位置における縄文時代の風景をアニメーションにより再現した動画像データである。
【００９１】
図１９は、歴史映像情報ＪＹＯ０９８４７を携帯端末２３０のディスプレイに表示した状態を示した場合の模式図である。携帯端末２３０の歴史映像情報受信部２０３が歴史映像情報ＪＹＯ０９８４７を受信し、これを出力部２０４が表示することで、図１９に示すように、携帯端末２３０のディスプレイには、携帯端末２３０の現在位置に対応した縄文時代の風景を、アニメーションで再現した映像が表示される。
【００９２】
以上、本実施の形態によれば、携帯端末２３０の検索位置情報取得部２０１が検索位置情報を取得し、検索時代情報受付部２３６が検索時代情報を受け付け、この受け付けた検索位置情報および検索時代情報に対応する歴史映像情報を、サーバ装置１３０の歴史映像情報取得部１３３が、位置歴史情報格納部１３１から取得し、この取得した歴史映像情報を携帯端末２３０の出力部２０４で表示するようにした。これにより、ユーザは、現在位置についての歴史映像情報を得ることができ、歴史に関連する情報を、臨場的な体験として受け入れることが可能となる。また、専門的な知識や技術がなくても、ユーザが、容易に歴史映像情報を得ることができ、歴史に関連する情報に気軽に接することが可能となる。さらに、検索時代情報を用いることにより、同じ位置における時代による風景の変化を表示することができる。これにより、ユーザが、歴史の変化を、より深く学ぶことができるようになる。この結果、歴史に関連する情報をより有効に利用することが可能となる。
【００９３】
なお、上記実施の形態３において、検索時代情報受付部２３６や、歴史映像情報取得部１３３が、検索時代情報受付部２３６の受け付けた検索時代情報を、位置歴史情報格納部１３１が格納している時代情報に対応した情報となるように変換するようにしてもよい。例えば、時代情報が、奈良時代、江戸時代等の時代名であり、検索時代情報が、西暦の年号である場合、あらかじめ、メモリ等に西暦の年号と各時代名との対応関係を示す変換テーブルを用意しておき、歴史映像情報取得部１３３が、この変換テーブルを用いて、年号を示す検索時代情報を時代名を示す検索時代情報に変換し、この変換した検索時代情報を用いて、位置歴史情報を検索するようにしてもよい。例えば、変換前の検索時代情報が７９５年であれば、変換後の検索時代情報は、平安時代となり、これにより、検索時代情報を用いた位置歴史情報の検索が可能となる。
【００９４】
また、上記実施の形態３において説明した検索時代情報受付部２３６を設け、検索時代情報を用いて歴史映像情報を取得するようにした構成等を、上記実施の形態２に係る情報処理システムに適用するようにしてもよいことは言うまでもない。
【００９５】
また、上記各実施の形態において、各処理または各機能は、単一の装置または単一のシステムによって集中処理されることによって実現されてもよく、あるいは、複数の装置または複数のシステムによって分散処理されることによって実現されてもよい。
また、本発明は、以上の実施の形態に限定されることなく、種々の変更が可能であり、それらも本発明の範囲内に包含されるものであることは言うまでもない。
【産業上の利用可能性】
【００９６】
この発明は、歴史に関連する情報を提供する情報処理システム等として適しており、特に携帯電話やＰＤＡ等の携帯端末に、歴史に関連する情報を表示させるための情報処理システム等として適している。
【図面の簡単な説明】
【００９７】
【図１】本発明の実施の形態１に係る情報処理システムの概略を示す構成図
【図２】同情報処理システムの構成を示すブロック図
【図３】同情報処理システムの動作を説明するためのフローチャート
【図４】同情報処理システムの動作を説明するためのフローチャート
【図５】同情報処理システムのサーバ装置に格納されているテーブルの一例を示す図
【図６】同情報処理システムの携帯端末の表示例を示す図
【図７】本発明の実施の形態２に係る情報処理システムの構成を示すブロック図
【図８】同情報処理システムの動作を説明するためのフローチャート
【図９】同情報処理システムのサーバ装置に格納されているテーブルの一例を示す図
【図１０】同情報処理システムを説明するための、携帯端末の向きと位置とを示す図
【図１１】同情報処理システムの携帯端末の表示例を示す図
【図１２】同情報処理システムを説明するための、携帯端末の向きと位置とを示す図
【図１３】同情報処理システムの携帯端末の表示例を示す図
【図１４】本発明の実施の形態３に係る情報処理システムの構成を示すブロック図
【図１５】同情報処理システムの動作を説明するためのフローチャート
【図１６】同情報処理システムの携帯端末の表示例を示す図
【図１７】同情報処理システムのサーバ装置に格納されているテーブルの一例を示す図
【図１８】同情報処理システムの携帯端末の表示例を示す図
【図１９】同情報処理システムの携帯端末の表示例を示す図
【符号の説明】
【００９８】
１００，１２０，１３０  サーバ装置
２００，２２０，２３０  携帯端末
１０１，１２１，１３１  位置歴史情報格納部
１０２  検索位置情報受信部
１０３，１２３，１３３  歴史映像情報取得部
１０４  歴史映像情報送信部
２０１  検索位置情報取得部
２０２  検索情報送信部
２０３  歴史映像情報受信部
２０４  出力部
２２５  検索方向情報取得部
２３６  検索時代情報受付部
３００  ネットワーク
【図１】
2006201944.tif 000003
【図２】
2006201944.tif 000004
【図３】
2006201944.tif 000005
【図４】
2006201944.tif 000006
【図５】
2006201944.tif 000007
【図６】
2006201944.tif 000008
【図７】
2006201944.tif 000009
【図８】
2006201944.tif 000010
【図９】
2006201944.tif 000011
【図１０】
2006201944.tif 000012
【図１１】
2006201944.tif 000013
【図１２】
2006201944.tif 000014
【図１３】
2006201944.tif 000015
【図１４】
2006201944.tif 000016
【図１５】
2006201944.tif 000017
【図１６】
2006201944.tif 000018
【図１７】
2006201944.tif 000019
【図１８】
2006201944.tif 000020
【図１９】
2006201944.tif 000021